(57)【特許請求の範囲】
【請求項１】
ランドセル、リュックサック、ディバッグなど人の背中に密着状態で接し、支持される背当て部を備え、人の背中に背負われて内部に収納部を備えてなる背のう部本体と、人の左右の肩部に該背のう部本体を背負わせるべく掛け回され、背のう部本体の背当て部上方にその上端部を支持し、背のう部本体の背当て部下方にその下端部側を支持する左右一対の各背負いベルトと、を備えてなる背のうにおける背負いベルトの取付構造において、
背のう部本体の背当て部の内側において、背当て部上下方向に沿うように固定され、背当て部の下端側から上方へと延びる全体長尺のケーシングと、
ケーシング内部の上端部にその一端部を支持され、ケーシング内部において下方へと延設される引っ張りスプリングと、
上記ケーシング内の引っ張りスプリングの下端側に支持され、引っ張りスプリングの引っ張り力に抗するようにしてケーシングの長手方向に案内される状態で上下動可能とされるスライドピンと、
を備え、上記背のう部本体の背当て部の上端に支持される背負いベルトは、その他端側をなす下端部側を、ケーシングの下方に備えられる開口からケーシング内に挿入され、上記スライドピンに掛け回すようにしてケーシング内の下端側に止着され、こうして背のう部本体に支持される背負いベルトは、肩部に掛け回し、背のう部本体が人の背中に背負われる状態において、下端の基端側に開口からスライドピンを介してケーシング内へ引き込む方向での引っ張り力が作用され、背のう部本体の背当て部の全体が人の背中に密着する方向に作用するよう付勢させることを可能としたことを特徴とする背負いベルトの取付構造。
【請求項２】
ケーシングは、背のう部本体の背当て部の内側に密着するように支持し、固定可能な全体扁平状のものである請求項１に記載の背負いベルトの取付構造。
【請求項３】
ケーシングは、下端部に背負いベルトの下端側をケーシング内へと挿入するための開口を備える全体扁平状の函体からなり、該函体内には函体上端部に上端部を支持し、下方へと延設される引っ張りスプリングが備えられ、函体の内部には引っ張りスプリングの下端部と支持・結合され、函体の内部に内挿され、引っ張りスプリングの引っ張り力に抗するようにして上下動可能なスライド体が配設され、上記スライドピンはこのスライド体に軸支される状態でケーシング内の長手方向に案内されて上下動可能とされる請求項２に記載の背負いベルトの取付構造。
【請求項４】
左右一対の各背負いベルトは、背のう部本体の背当て部の上側に備えられる連結体にその上端部を結合してなる上ベルトと、背のう部本体の背当て部の下方側に支持され、該下方側から延びる下ベルトとからなり、上ベルトの下端と下ベルトの上端とは掛け回す肩部のサイズに対応し、その結合位置を可変にし、長さ調整可能に相互に連結可能とされるものである請求項１ないし３のいずれかに記載の背負いベルトの取付構造。
【請求項５】
上ベルトの下端と下ベルトの上端との連結は、上ベルトの下端あるいは下ベルトの上端のいずれかに他のベルトの端部を挿通可能とする連結環を支持させることとし、連結環に挿通される他のベルトの端部の連結環に対する止着結合位置を可変にし、上下のベルトを長さ調整可能に相互に連結させることとしてなる請求項１に記載の背負いベルトの取付構造。
【発明の詳細な説明】
【技術分野】
【０００１】
本発明は、ランドセル、リュックサック、ディバッグなど、人の背中に背負われる背のう部本体を、人の左右の肩部に背負わせるべく掛け回され、背のう部本体に支持され、取付けられる背のうにおける背負いベルトの取付構造に関する。
【背景技術】
【０００２】
ランドセル、リュックサック、ディバッグなどの背のうには、様々な形状や構造のものが存在するが、その多くは人の背中に密着状態で接し、支持される背当て部を備え、人の背中に背負われて内部に収納部を備えてなる背のう部本体と、人の左右の肩部に該背のう部本体を背負わせるべく掛け回され、背のう部本体の背当て部上方にその上端部を支持し、背のう部本体の背当て部下方にその下端部側を支持する左右一対の各背負いベルトと、を備えるようにしている。
【０００３】
また、左右一対の各背負いベルトは、背のう部本体の背当て部の上側に備えられる連結体にその上端部を結合してなり、一方背のう部本体の背当て部の下方側に支持される下端側は、通常支持される背のう部本体の背当て部の下方に対し、その長さを調整可能に連結される。
【０００４】
また、背負いベルトの中には、下記特許文献１や２に示すように、背のう部本体の背当て部の上側に備えられる連結体にその上端部を結合してなる上ベルトと、背のう部本体の背当て部の下方側に支持され、該下方側から延びる下ベルトとにより構成し、上ベルトの下端と下ベルトの上端とは掛け回す肩部のサイズに対応し、その結合位置を可変にし、長さ調整可能に相互に連結可能としたものも存在する。すなわち、こうした構成からなる背負いベルトは、上ベルトの下端と、下ベルトの上端との連結を、上ベルトの下端あるいは下ベルトの上端のいずれかに他のベルトの端部を挿通可能とするバックル状の連結環を支持させ、連結環が支持されたベルトに対する他方のベルトの端部にはその長さ方向において所定間隔をもって複数の止着孔を穿設し、他方のベルトを連結環に挿通させて連結環に支持される止着針を任意の長さ位置にある止着孔に止着して行うようにしている。これにより連結環に挿通される他のベルトの端部の連結環に対する止着結合位置を可変にし、上下のベルトを長さ調整可能に相互に連結させることを可能にしている。
【先行技術文献】
【特許文献】
【０００５】
【特許文献１】実用新案登録第３１３３３９９号公報
【特許文献２】特開２００８−５４９４０号公報
【発明の概要】
【発明が解決しようとする課題】
【０００６】
ところで上記各特許文献１や２に代表される従来の背負いベルトは、上ベルトの下端と下ベルトの上端との止着結合位置を調整することで、背のう部本体に対する背負いベルトの全体長さを可変に調整することを可能としているが、背のう部本体の背当て部全体を人の背中に密着状態で接するようにするためには、その全体長さをできる限り短く設定することが望まれる。
【０００７】
すなわち、背負いベルトの全体長さを必要以上に長くしてしまうと、背当て部の上方位置が人の背中から離れる方向での力が作用し、特にこの現象は背のう部本体の収納部内に高荷重の物を収納させたり、また収納部の底の方に重い物を収納させる場合に生じ易く、背のう部本体の重心が下の方になるにしたがって発生し易いものとされていた。
【０００８】
ただ、こうした不具合を解消するため、背負いベルトの全体長さを必要以上に短くしてしまうと、背のう部本体を背負う際の、背負いベルトの人の肩部に対する掛け回しの操作が行いにくくなる不具合があった。
【０００９】
本発明は、こうした従来の不具合に着目してなされたものであり、ランドセル、リュックサック、ディバッグなどの背のうにあって、背のう部本体を人の背中に背負ったり、人の背中から離脱させる場合における背負いベルトの脱着操作性の向上を図り、背のう部本体の背当て部の全体が人の背中に密着する良好な装着状態を確保することを目的としている。
【課題を解決するための手段】
【００１０】
上記目的を達成するため、本発明の請求項１は、ランドセル、リュックサック、ディバッグなど人の背中に密着状態で接し、支持される背当て部を備え、人の背中に背負われて内部に収納部を備えてなる背のう部本体と、人の左右の肩部に該背のう部本体を背負わせるべく掛け回され、背のう部本体の背当て部上方にその上端部を支持し、背のう部本体の背当て部下方にその下端部側を支持する左右一対の各背負いベルトと、を備えてなる背のうにおける背負いベルトの取付構造において、背のう部本体の背当て部の内側において、背当て部上下方向に沿うように固定され、背当て部の下端側から上方へと延びる全体長尺のケーシングと、ケーシング内部の上端部にその一端部を支持され、ケーシング内部において下方へと延設される引っ張りスプリングと、上記ケーシング内の引っ張りスプリングの下端側に支持され、引っ張りスプリングの引っ張り力に抗するようにしてケーシングの長手方向に案内される状態で上下動可能とされるスライドピンと、を備え、上記背のう部本体の背当て部の上端に支持される背負いベルトは、その他端側をなす下端部側を、ケーシングの下方に備えられる開口からケーシング内に挿入され、上記スライドピンに掛け回すようにしてケーシング内の下端側に止着され、こうして背のう部本体に支持される背負いベルトは、肩部に掛け回し、背のう部本体が人の背中に背負われる状態において、下端の基端側に開口からスライドピンを介してケーシング内へ引き込む方向での引っ張り力が作用され、背のう部本体の背当て部の全体が人の背中に密着する方向に作用するよう付勢させることを可能としたことを特徴とする背負いベルトの取付構造としている。
【００１１】
また本発明の請求項２は、ケーシングを背のう部本体の背当て部の内側に密着するように支持し、固定可能な全体扁平状のものとした請求項１に記載の背負いベルトの取付構造としている。
【００１２】
また本発明の請求項３は、上記ケーシングが、下端部に背負いベルトの下端側をケーシング内へと挿入するための開口を備える全体扁平状の函体からなり、該函体内には函体上端部に上端部を支持し、下方へと延設される引っ張りスプリングが備えられ、函体の内部には引っ張りスプリングの下端部と支持・結合され、函体の内部に内挿され、引っ張りスプリングの引っ張り力に抗するようにして上下動可能なスライド体が配設され、上記スライドピンはこのスライド体に軸支される状態でケーシング内の長手方向に案内されて上下動可能とされる請求項２に記載の背負いベルトの取付構造としている。
【００１３】
また本発明の請求項４は、上記左右一対の各背負いベルトが、背のう部本体の背当て部の上側に備えられる連結体にその上端部を結合してなる上ベルトと、背のう部本体の背当て部の下方側に支持され、該下方側から延びる下ベルトとからなり、上ベルトの下端と下ベルトの上端とは掛け回す肩部のサイズに対応し、その結合位置を可変にし、長さ調整可能に相互に連結可能とされるものである請求項１ないし３のいずれかに記載の背負いベルトの取付構造としている。
【００１４】
また本発明の請求項５は、上ベルトの下端と下ベルトの上端との連結が、上ベルトの下端あるいは下ベルトの上端のいずれかに他のベルトの端部を挿通可能とする連結環を支持させることとし、連結環に挿通される他のベルトの端部の連結環に対する止着結合位置を可変にし、上下のベルトを長さ調整可能に相互に連結させることとしてなる請求項１に記載の背負いベルトの取付構造としている。
【発明の効果】
【００１５】
本発明によれば、ランドセル、リュックサック、ディバッグなどの背のうにあって、背のう部本体を人の背中に背負ったり、人の背中から離脱させる場合における背負いベルトの脱着操作性の向上を図り、背のう部本体の背当て部の全体が人の背中に密着する良好な装着状態を確保することが可能となる。
【図面の簡単な説明】
【００１６】
【図１】本発明の実施形態に係る背負いベルトの取付構造を採用したランドセルの全体斜視図である。
【図２】ランドセルの一部破断して示す側面図である。
【図３】背当て部の内側に固定されるケーシングの斜視図である。
【図４】ケーシングの内部を示す斜視図である。
【図５】図３のＶ−Ｖ線に沿う断面図である。
【図６】スライド体が下降移動した図５と同様の断面図である。
【図７】実施形態に係るランドセルを背負った状態を示す側面図である。
【発明を実施するための形態】
【００１７】
以下、本発明の一実施形態としての背負いベルトの取付構造を、図１ないし図７に示すランドセル１を例に説明する。背のうとしてのランドセル１は、図７に示すように人２の背中に密着状態で接し、支持する平板状の背当て部３を備え、人２の背中に背負われて内部に収納部４を備えてなる背のう部本体５を有する。
【００１８】
すなわち、全体函状をなす背のう部本体５は、蓋板６を図１の矢印Ａ方向に開くことで内部の収納部４を上部に開口することを可能とし、収納部４内に教科書や学用品などを収納可能にしている。ランドセル１は、人２の左右の肩部に背のう部本体５を背負わせるべく掛け回され、背のう部本体５の背当て部３の上方にその上端部を支持し、背のう部本体５の背当て部３の下端部側を支持する左右一対の各背負いベルト７を備える。
【００１９】
左右の各背負いベルト７は、背のう部本体５の背当て部３の上側に備えられる連結体９にその上端部を結合してなる上ベルト７Ａと、背のう部本体５の背当て部３の下方側から延びる下ベルト７Ｂとからなる。上ベルト７Ａと下ベルト７Ｂとは、掛け回す人の肩部のサイズに対応し、その結合位置を可変にし、長さ調整可能に相互に連結可能とされる。
【００２０】
上ベルト７Ａは、上記のように背のう部本体５の背当て部３の上側に配設し、支持される連結体９に、その上端部を連結して結合してなり、左右に備えられる各連結体９は背当て部３の上側中心を基準としてそれぞれ外方（図１の矢印Ｂ方向）に向くように備えられる。
【００２１】
上ベルト７Ａの下端と下ベルト７Ｂの上端との連結は、下ベルト７Ｂの上端に支持されるバックル状の連結環１０に、上ベルト７Ａの下端側を挿通させ、上ベルト７Ａの下端側における任意の長さ位置を連結環１０に止着し、結合することにより行うようにしている。
【００２２】
すなわち、上ベルト７Ａの下端側を挿通可能とする連結環１０には止着針１１が支持され、この止着針１１を、上ベルト７Ａの下端側にその長さ方向において所定間隔をもって複数穿設される止着孔１２のうち、任意の長さ位置にある止着孔１２に止着するようにしている。
【００２３】
これにより、連結環１０に挿通される上ベルト７Ａの下端部の連結環１０に対する止着結合位置を可変にし、上下のベルト７Ａ、７Ｂを長さ調整可能に相互に連結させることが可能となり、背負いベルト７の全体の長さを人２の肩部のサイズに合わせて調整することが可能となる。
【００２４】
背のう部本体５は、背当て部３を構成する革材の内側において、その上下方向に沿うように背当て部３の下端側から上方へと延びる全体長尺のケーシング１３が備えられ、固定される（図２参照）。ケーシング１３は、図１に示すように背負いベルト７に対応して左右一対備えられ、背当て部３を構成する革材とその内側に重ね合わされる革材１４との間に挟み込むようにして背当て部３の内側に支持・固定される（図２参照）。このため、ケーシング１３は、これら２つの革材３、１４の間に挟み込まれ、背当て部３の内側に密着するように支持し、固定される全体扁平状のものとされる。
【００２５】
２つの各ケーシング１３は、図３に示すように背当て部３の内側において、その下端部から上方に延びる全体長方形状の扁平状のものとされ、下端部において下ベルト７Ｂの基端部を該ケーシング１３内へと挿入するための開口１５を備える函体からなる。すなわち、このケーシング１３は、背当て部３側の蓋体１６を取外した図４に示す状態において明らかなように、蓋体１６をネジ１７で取着可能とする平面コ字形状をなす函体本体１３Ａを備えてなる。ケーシング１３は、内部において上下方向に貫通する筒状の空間１８を備え、函体本体１３Ａのコ字形状凹部と取着される蓋体１６との間でこの空間１８を画成可能としている。
【００２６】
上下方向に延びる空間１８内においては、空間１８内を上下動可能なスライド体１９が配設される。スライド体１９は、図４の矢視Ｃ方向から観た状態において門形形状をなし、その下端矢印Ｘ方向にスライドピン２０を貫通させるようにしている。すなわち、スライドピン２０は正面から観て（図４の矢視Ｃ方向）、門形をなすスライド体１９に軸支させるようにして、その下部に配設させてなり、スライド体１９より外方より突出させたスライドピン２０の各端部を、函体本体１３Ａの側辺部長手方向に穿設されるガイド孔２１に係合させている。これにより、スライド体１９はガイド孔２１にスライドピン２０の各端部を案内させる状態で空間１８内を長手方向（図４のＹ方向）に上下動可能とされる。
【００２７】
ケーシング１３内の空間１８の上方側には、ケーシング１３の内部の上端部にその上端部を支持し、空間１８内を下方へと延設される引っ張りスプリング８を備えてなる。すなわち、この引っ張りスプリング８は、上端部を函体本体１３Ａの上端部にピン結合し、また下端部をスライド体１９の上部に形成されるフック部２２に支持し、結合させるようにしている。
【００２８】
こうして、スライド体１９は、ケーシング１３内の空間１８に内挿される状態で、引っ張りスプリング８の引っ張り力に抗するようにして上下動可能とされ、このスライド体１９は空間１８内においてその上方に配設されるストッパピン２３により、上方スライド位置を規制される。
【００２９】
ケーシング１３内の引っ張りスプリング８の下端側に支持され、引っ張りスプリング８の引っ張り力に抗するようにしてケーシング１３内の長手方向に案内されて上下動されるスライド体１９に軸支されるスライドピン２０には、ケーシング１３の下方の開口１５から空間１８内へと挿入される下ベルト７Ｂの基端部側が図５あるいは図６に示すように掛け回される。スライドピン２０に掛け回された下ベルト７Ｂの基端部は、函体本体１３Ａ内の空間１８の下端側にピン２４により止着される（図５参照）。
【００３０】
さらにケーシング１３内の空間１８の下端側には、開口１５から空間１８内へと挿入される下ベルト７Ｂを整えるための軸体２５が函体本体１３Ａに支持されるようにしている。
【００３１】
このようにして背当て部３の内側に固定されるケーシング１３は、連結される上ベルト７Ａと下ベルト７Ｂのうち下ベルト７Ｂの基端側を開口１５からケーシング１３内に引き込む方向での引っ張り力を、引っ張りスプリング８のスプリング力により作用させることが可能となる。この結果、ランドセル１を図７に示すように人２の背中に背負わせる状態において、背のう部本体５の背当て部３の全体が人２の背中に密着する矢印Ｄ方向の力が作用するように背負いベルト７に対し背のう部本体５を付勢させることが可能となる。
【００３２】
すなわち、こうした構造からなるケーシング１３を備えることによって、背のう部本体５を人２の背中に背負ったり、人２の背中から離脱させる場合における背負いベルト７の脱着操作性の向上を図り、背のう部本体５の背当て部３の全体が人２の背中に密着する良好な装着状態を確保することが可能となる。
【００３３】
こうした構造からなる背負いベルト７と背のう部本体５は、上記のようなランドセル１に限らず、リュックサックやディバッグにおいても採用可能とされる。
【００３４】
なお、上記実施形態では、下ベルト７Ｂの上端部において連結環１０を備え、上ベルト７Ａの下端側において所定間隔をもって止着孔１２を穿設し、連結環１０に対して上ベルト７Ａの下端側を挿通させて両者を結合させるようにしているが、上ベルト７Ａの下端部に連結環を備え、該連結環に下ベルト７Ｂの上端部を挿通させて両者を結合するように構成してもよい。
【００３５】
さらに、上記実施形態では、背負いベルト７を上ベルト７Ａと下ベルト７Ｂとにより構成し、下ベルト７Ｂの上端部において連結環１０を備え、上ベルト７Ａの下端側において所定間隔をもって止着孔１２を穿設し、連結環１０に対して上ベルト７Ａの下端側を挿通させて両者を結合させるようにしているが、こうした構成によらず背負いベルト７を１本のベルトにより構成し、その上端部を背のう部本体の背当て部上方にその上端部を支持し、その下端部（基端部）を直接ケーシング１３の下方に備えられる開口１５からケーシング１３内に挿入し、上記スライドピン２０に掛け回すようにしてケーシング１３内の下端側に止着するように構成してもよい。
【産業上の利用可能性】
【００３６】
本発明は、ランドセル、リュックサック、ディバッグなど人の背中に背負われる背のう部本体を備え、背のう部本体を人の左右の肩部に背負わせるべく掛け回される背のう部本体に支持され、取付けられる背負いベルトを備える様々なタイプの背のうに応用することが可能となる。
【符号の説明】
【００３７】
１      ランドセル（背のう）
２      人
３      背当て部
４      収納部
５      背のう部本体
６      蓋板
７      背負いベルト
７Ａ    上ベルト
７Ｂ    下ベルト
８      引っ張りスプリング
９      連結体
１０    連結環
１１    止着針
１２    止着孔
１３    ケーシング
１３Ａ  函体本体
１４    革材
１５    開口
１６    蓋体
１７    ネジ
１８    空間
１９    スライド体
２０    スライドピン
２１    ガイド孔
２２    フック部
２３    ストッパピン
２４    ピン
２５    軸体
【図１】
0005660881.tif 000002
【図２】
0005660881.tif 000003
【図３】
0005660881.tif 000004
【図４】
0005660881.tif 000005
【図５】
0005660881.tif 000006
【図６】
0005660881.tif 000007
【図７】
0005660881.tif 000008